(57)【特許請求の範囲】
【請求項１】
着用者に着用されて液体を吸収する吸収性物品であって、
吸収性繊維を含む第１の吸収部と、
吸収性繊維を含み、着用時に前記第１の吸収部を挟んで前記着用者とは逆の側となる側に少なくとも配される第２の吸収部と、を備え、
前記第２の吸収部が含む吸収性繊維の単位体積あたりの重量は、前記第１の吸収部が含む吸収性繊維の単位体積あたりの重量より大きく、
前記第１の吸収部は、前記第２の吸収部に比べて圧縮されやすく、
前記吸収性物品の長手方向の少なくとも一部の範囲における前記長手方向に垂直な断面において、前記第１の吸収部は、
前記吸収性物品の短手方向の中心を含む第１の範囲に配され、
前記第１の範囲を挟んで前記短手方向の両側に位置する第２の範囲においては、前記第１の範囲よりも薄く構成されるか、または設けられておらず、
前記吸収性物品は、前記第１の範囲においては、同一の力を厚み方向に受けた場合に、前記第２の範囲に比べて、厚み方向により大きく変形し、
前記第１の吸収部と前記第２の吸収部とからなる全体は、着用時に前記着用者の側となる前記吸収性物品の面が略平坦となるように、構成されており、
前記第１の吸収部の全体は、着用時に前記第２の吸収部に対して着用者側となる側において、前記第２の吸収部を覆っている、吸収性物品。
【請求項２】
請求項１記載の吸収性物品であって、
前記第２の吸収部は、さらに、前記第１の吸収部よりも単位体積あたりで多くの吸収性樹脂を含む、吸収性物品。
【請求項３】
請求項１または２記載の吸収性物品であって、
前記第２の吸収部は、さらに、前記第１の吸収部を挟んで前記短手方向の両側に配される部分を備える、吸収性物品。
【請求項４】
請求項２、または請求項２に従属する請求項３に記載の吸収性物品であって、
前記第１の吸収部と前記第２の吸収部との間に、前記吸収性繊維および前記吸収性樹脂を透過せず液体を透過するシートを備える、吸収性物品。
【請求項５】
請求項１から４のいずれか１項に記載の吸収性物品であって、
前記第１の吸収部が着用者の両太腿の間から少なくとも腹の一部に位置するよう構成される、吸収性物品。
【発明の詳細な説明】
【技術分野】
【０００１】
本発明は、着用者に着用された状態において、液体を吸収し保持する物品に関するものである。
【背景技術】
【０００２】
従来、吸液構造体であって、体液吸収面の両側部に、一対の凸部が形成されており、それら一対の凸部の間に凹部が形成されている吸液構造体が存在する（特許文献１）。このような構成により、吸液構造体が着用された際に、着用者の仙骨に吸液構造体が直接接触して強く圧迫することを防止し、その結果、着用者の肌に与える刺激を緩和できる。
【先行技術文献】
【特許文献】
【０００３】
【特許文献１】特開２０１１−１６７４１６号公報
【発明の概要】
【発明が解決しようとする課題】
【０００４】
しかし、上記の技術においては、吸液構造体の表面において、凸部と凹部の境界に段差が存在する。このため、着用者は吸液構造体を着用した際に違和感を覚えることがある。
【課題を解決するための手段】
【０００５】
本発明は、上述の課題の少なくとも一部を解決するためになされたものであり、以下の形態または適用例として実現することが可能である。
【０００６】
（１）本発明の一形態によれば、着用者に着用されて液体を吸収する吸収性物品が提供される。この吸収性物品は：吸収性繊維を含む第１の吸収部と；吸収性繊維を含み、着用時に前記第１の吸収部を挟んで前記着用者とは逆の側となる側に少なくとも配される第２の吸収部と、を備える。前記第２の吸収部が含む吸収性繊維の単位体積あたりの重量は、前記第１の吸収部が含む吸収性繊維の単位体積あたりの重量より大きい。前記吸収性物品の長手方向の少なくとも一部の範囲における前記長手方向に垂直な断面において：前記第１の吸収部は；前記吸収性物品の短手方向の中心を含む第１の範囲に配され；前記第１の範囲を挟んで前記短手方向の両側に位置する第２の範囲においては、前記第１の範囲よりも薄く構成されるか、または設けられていない。前記第１の吸収部と前記第２の吸収部は、着用時に前記着用者の側となる前記吸収性物品の面が略平坦となるように構成されている。
このような態様においては、単位体積あたりの吸収性繊維の重量が小さい第１の吸収部は、第２の吸収部に比べて圧縮されやすい。このため、吸収性物品が着用者に着用された際に、吸収性物品は、短手方向中央の第１の範囲においては、厚み方向により大きく変形し、第２の範囲においてはより小さく変形する。また、第１の範囲においても、第１の吸収部が存在し、吸収性物品の着用者側の面が略平坦となるように構成されていることから、第１の範囲が空隙である態様に比べて、着用者が覚える違和感が少ない。このため、上記態様の吸収性物品は、着用者に与える違和感を抑制しつつ、着用者の身体の形状に沿った変形をすることができる。
【０００７】
（２）上記形態の吸収性物品において、前記第２の吸収部が、さらに、前記第１の吸収部よりも単位体積あたりで多くの吸収性樹脂を含む、態様とすることができる。このような態様においては、第１の吸収部は、吸収性樹脂が第２の吸収部よりも少ないか、または吸収性樹脂を含まない。このため、第１の吸収部は、第２の吸収部よりも、吸収した液体を吸収部全体に拡散させる機能が高い。一方、第１の吸収部よりも着用者から遠い側に配される第２の吸収部は、第１の吸収部よりも多く吸収性樹脂を含むため、第１の吸収部よりも、吸収した液体を保持する機能が高い。よって、上記の態様によれば、第１の吸収部によって、着用者から排出される液体を広い範囲に拡散して、第２の吸収部に渡すことができる。このため、第２の吸収部により多くの液体を吸収および保持させることができる。
【０００８】
（３）上記形態の吸収性物品において、前記第１の吸収部が、着用時に前記第２の吸収部に対して着用者側となる側において、前記第２の吸収部を覆っている、態様とすることができる。このような態様においては、単位体積あたりの吸収性繊維の重量が少なく変形しやすい第１の吸収部の幅が、第２の吸収部の幅と同等以上である。その結果、着用者に着用された際の違和感をより抑制することができる。
【０００９】
（４）上記形態の吸収性物品において、前記第２の吸収部が、さらに、前記第１の吸収部を挟んで前記短手方向の両側に配される部分を備える、態様とすることができる。このような態様においては、第２の吸収部が、第１の吸収部に対して着用者とは逆の側と、短手方向の第１の吸収部の両側と、に配されている。このため、着用者に着用された際に、吸収性物品の形状が維持されやすい。その結果、吸収性物品は、適切に着用されて機能を発揮することができる。
【００１０】
（５）上記形態の吸収性物品において、前記第１の吸収部と前記第２の吸収部との間に、前記吸収性繊維および吸収性樹脂を透過せず液体を透過するシートを備える、態様とすることができる。このような態様とすれば、第２の吸収部が含んでいる吸収性繊維および吸収性樹脂が第１の吸収部に移動して第１の吸収部と第２の吸収部のそれぞれの独自の機能が低下する事態を抑制でき、また当該シートの介在により前記第１の吸収部から前記第２の吸収部へ液体が広い範囲に拡散することができる。
【００１１】
（６）上記形態の吸収性物品において、前記第１の吸収部が着用者の両太腿の間から少なくとも腹の一部に位置するよう構成される、態様とすることができる。このような態様とすれば、吸収性物品は、着用者の股または腹において突出している中央部分を、第１の吸収部が変形することにより、受け入れることができる。その結果、吸収性物品は、違和感なく装着されることができる。
【００１２】
本発明は、吸収性物品以外の種々の形態で実現することも可能である。たとえば、テープ型またはパンツ型のおむつ、生理用品、尿取りライナー、軽失禁パッド等の様々な形態で実現することができる。
【図面の簡単な説明】
【００１３】
【図１】本実施形態の吸収体を備えるテープ型紙おむつ１０を示す平面図である。
【図２】図１のＡ−Ａ断面における第１実施形態の吸収体３の構造を示す断面図である。
【図３】図１のＡ−Ａ断面における第２実施形態の吸収体３ｂの構造を示す断面図である。
【図４】図１のＡ−Ａ断面における第３実施形態の吸収体３ｃの構造を示す断面図である。
【図５】図１のＡ−Ａ断面における第４実施形態の吸収体３ｄの構造を示す断面図である。
【図６】図１のＡ−Ａ断面における第５実施形態の吸収体３ｅの構造を示す断面図である。
【発明を実施するための形態】
【００１４】
Ａ．第１実施形態：
図１は、本実施形態の吸収体を備えたテープ型紙おむつ１０を示す平面図である。テープ型紙おむつ１０は、表面シート１と、カバーシート２と、表面シート１とカバーシート２の間に配される吸収体３および防水シート４と、固定テープ５２と、フロントパッチ５４と、ウェスト伸縮材５６と、を基本構成として備える。
【００１５】
表面シート１は、テープ型紙おむつ１０が着用者に着用される際に、着用者側となる側に配されるシートである。表面シート１は、着用者の尿や体液を透過させることができる素材で構成される。
【００１６】
表面シート１を構成する材料としては、たとえば、織布、不織布、多孔性フィルム、網目を有するネット状シート等を採用することができる。ただし、表面シート１は、不織布であることが好ましい。不織布としては、スパンボンド不織布、ニードルパンチ不織布、スパンレース不織布、エアースルー不織布を用いることができる。
【００１７】
カバーシート２は、テープ型紙おむつ１０が着用者に着用される際に、外側（着用者側とは逆の側）となる側に配されるシートである。カバーシート２は、テープ型紙おむつ１０の強度を高め、テープ型紙おむつ１０の手触りをよくする機能を奏する。カバーシート２は、平面視した際に表面シート１と略一致する形状を有している。図１においては、カバーシート２は、表面シート１で隠されているため、裏面側に位置するカバーシート２の符号「２」を、破線の引き出し線で示す。
【００１８】
カバーシート２を構成する材料としては、織布、および不織布を採用することができる。不織布としては、ポリエチレン、ポリプロピレン、ポリエステル等の熱可塑性樹脂からなる乾式不織布、湿式不織布を用いることが好ましい。
【００１９】
吸収体３は、着用者の尿や体液を吸収し、保持する部材である。吸収体３は、略長方形の平面形状を有する板状（シート状）の部材である。吸収体３は、表面シート１とカバーシート２の間に配される。吸収体３は、テープ型紙おむつ１０が着用者に着用される際に、着用者の両太腿の間から腹の一部（下部）にかけて吸収体３が位置するように、表面シート１とカバーシート２の間において配されている。図１において、吸収体３は、表面シート１に覆われているため、吸収体３の外形を破線の長方形で示す。なお、図１は、第２〜第５実施形態において、吸収体３ｂ〜３ｅの構成を説明する際にも参照される。吸収体３の構成および材料については、後に説明する。
【００２０】
防水シート４は、着用者から排出された尿および体液や、吸収体３が吸収し保持している尿および体液が、テープ型紙おむつ１０外に漏出する事態を防止するための部材である。防水シート４は、略長方形の平面形状を有する。防水シート４は、吸収体３とカバーシート２の間に配される。防水シート４は、平面視した際に、その外輪郭が吸収体３の外輪郭を囲む大きさおよび配置で、構成され、吸収体３とカバーシート２の間に配される。図１において、防水シート４は、表面シート１に覆われているため、防水シート４の外形を破線の長方形で示す。防水シート４は、着用者の尿や体液を透過させない材料によって構成される。
【００２１】
防水シート４の材料としては、ポリエチレン等の合成樹脂フィルム、不織布と合成樹脂フィルムとの複合シート（例えば、スパンボンド等の不織布に通気性の合成樹脂フィルムが挟まれたシート）からなる液不透過性フィルムを採用することができる。なお、防水シート４の材料としては、液体水を透過せず水蒸気を透過することができる、いわゆる透湿性を有する液不透過性フィルムを用いることが好ましい。透湿性のある液不透過性フィルムとしては、０．１〜０．５μｍの微細な孔を有する微多孔性ポリエチレンフィルムを採用することができる。
【００２２】
図１を含む本願の各図において、空間において互いに直交するＸ軸、Ｙ軸、Ｚ軸を示す。Ｘ軸は、略長方形の平面形状を有する吸収体３の長手方向と一致する軸である。Ｙ軸は、吸収体３の短手方向と一致する軸である。Ｚ軸は、板状の部材である吸収体３の厚み方向と一致する軸である。本願明細書において「平面視した際」の形状を記述する場合、「平面視」はＺ軸方向に沿って行われるものとする。
【００２３】
テープ型紙おむつ１０は、前部１０Ｆ、中央部１０Ｍおよび後部１０Ｂを備える。前部１０Ｆは、テープ型紙おむつ１０が着用者に着用される際に、着用者の腹側に位置する部位である。後部１０Ｂは、テープ型紙おむつ１０が着用者に着用される際に、着用者の背側に位置する部位である。中央部１０Ｍは、テープ型紙おむつ１０が着用者に着用される際に、着用者の股下（両太腿の間）に位置する部位である。
【００２４】
中央部１０Ｍは、テープ型紙おむつ１０が平面に沿って展開されている状態（図１参照）において、Ｘ軸方向について、前部１０Ｆと後部１０Ｂの間に位置する部位である。テープ型紙おむつ１０が平面に沿って展開されている状態において、前部１０Ｆは、中央部１０Ｍに対して、Ｘ軸方向の＋側に位置する。テープ型紙おむつ１０が平面に沿って展開されている状態において、後部１０Ｂは、中央部１０Ｍに対して、Ｘ軸方向の−側に位置する。
【００２５】
前述のように、表面シート１とカバーシート２とは、Ｚ軸方向に沿って平面視した際に、略一致する形状を有している。表面シート１とカバーシート２は、中央部１０Ｍに比べて、前部１０Ｆおよび後部１０Ｂにおいて、Ｙ軸方向に大きい形状で設けられている。表面シート１とカバーシート２を含むテープ型紙おむつ１０は、Ｘ軸方向に平行な中心軸ＣＬ１を中心として、Ｙ軸方向に略線対称な構成を有する。
【００２６】
表面シート１とカバーシート２の後部１０ＢのＹ軸方向の両側には、固定テープ５２が設けられている。固定テープ５２は、フロントパッチ５４とともに、テープ型紙おむつ１０が着用者に着用される際に、テープ型紙おむつ１０を着用者に留めるための構成である。一対の固定テープ５２は、表面シート１とカバーシート２の後部１０ＢのＹ軸方向の両側の端から、それぞれＹ軸方向＋側および−側に突出している。各固定テープ５２の基部は、表面シート１とカバーシート２の間に配されて、固定されている。
【００２７】
カバーシート２上の二つの固定テープ５２の間の位置には、ウェスト伸縮材５６が設けられている。ウェスト伸縮材５６は、重ねられて配されている２枚のシート部材と、２枚のシート部材の間においてＹ軸方向（短手方向）に伸ばされた状態で保持されている複数の弾性部材であって、Ｘ軸方向（長手方向）に並んで配されている複数の弾性部材と、を含む。ウェスト伸縮材５６は、複数の弾性部材が伸縮することによって実現されるＹ軸方向についての伸縮性を有する。ウェスト伸縮材５６は、テープ型紙おむつ１０のうちウェスト伸縮材５６が設けられている位置の近傍の構成（たとえば、表面シート１とカバーシート２）を、Ｙ軸方向に弾性的に伸縮させることができる。また、ウェスト伸縮材としては、伸縮性を有する面形状のウレタンフォームも採用することができる。
【００２８】
カバーシート２の前部１０ＦのＹ軸方向の略中央部分には、フロントパッチ５４が設けられている。フロントパッチ５４は、固定テープ５２とともに、テープ型紙おむつ１０が着用者に着用される際に、テープ型紙おむつ１０を着用者に留めるための構成である。固定テープ５２とフロントパッチ５４とは、たとえば、面ファスナーとして構成することができる。
【００２９】
テープ型紙おむつ１０が着用者に着用される際には、表面シート１が着用者側に向き、前部１０Ｆが着用者の腹側に位置し、後部１０Ｂが着用者の背側に位置するように、テープ型紙おむつ１０が湾曲される。その状態で、背側に位置する二つの固定テープ５２の先端部分が、それぞれ腹側に位置するフロントパッチ５４に貼られることにより、テープ型紙おむつ１０の上端部が着用者の胴囲を囲む形状となる。その際、二つの固定テープ５２が図１のＹ軸方向の両側に引かれ、ウェスト伸縮材５６が伸ばされている状態で、二つの固定テープ５２が腹側に位置するフロントパッチ５４に貼られる。その結果、ウェスト伸縮材５６の収縮力によって、着用者の胴囲を囲むテープ型紙おむつ１０が着用者の胴囲を緩やかに締め付けて、テープ型紙おむつ１０の脱落を防止する。
【００３０】
表面シート１は、さらに、Ｘ軸方向に沿って形成されＹ軸方向に並んで配されている、立体ギャザーを形成するひれ部６２および立体伸縮部６４を備えている（図１参照）。また、表面シート１は、Ｙ軸方向についてさらに立体ギャザーの外側にＸ軸方向に沿って配され、テープ型紙おむつ１０の着用時に着用者の太腿の付け根を囲むレグギャザーを形成する、レグ伸縮部７２を備えている。
なお、本実施形態は、広幅の表面シート１を用い、Ｙ軸方向において吸収体３から延出した表面シート１で立体ギャザーおよびレグギャザーを形成する態様を想定したものである。立体ギャザーおよびレグギャザーは、本実施形態の態様に限らず、表面シート１以外のシート（たとえば、不織布）を用いて形成することもできる。立体ギャザーおよびレグギャザーの構成および形成方法については、本願発明の技術の理解を容易にするため、本明細書では詳細な説明は省略する。
【００３１】
図２は、図１のＡ−Ａ断面における第１実施形態の吸収体３の構造を示す断面図である。吸収体３は、Ｘ軸方向の両端部を除くＸ軸方向の任意の断面において図２に示す断面構造と同様の断面構造を有する。なお、図２は、テープ型紙おむつ１０の各構成の寸法を正確に反映するものではない。図２においては、技術の理解を容易にするため、吸収体３の各構成を互いに離間して示している。しかし、実際には、図２に示す各構成は、少なくともＺ軸方向について、互いに接触して積層されている。また、図２においては、技術の理解を容易にするため、表面シート１に設けられた立体ギャザー等の構成については、図示を省略している。
【００３２】
吸収体３は、第１の吸収部３１と、第２の吸収部３２と、第１の吸収部３１および第２の吸収部３２を覆うコアラップシート３３と、を備える。
【００３３】
第１の吸収部３１は、第２の吸収部３２に対して表面シート１側、すなわち、Ｚ軸方向＋側に配される。言い換えれば、第１の吸収部３１は、テープ型紙おむつ１０が着用者に着用される際に、着用者側となる側に配される。第１の吸収部３１は、液体を吸収することができる繊維（本明細書において「吸収性繊維」とも表記する）で構成される。吸収性繊維は、いわゆるフラッフパルプ（綿状パルプ）として構成することができる。
【００３４】
吸収性繊維としては、パルプ繊維、レーヨン繊維、またはコットン繊維のようなセルロース系繊維の短繊維（繊維長５ｍｍ以下のもの）や、ポリエチレン、ポリプロピレン、またはポリエチレンテレフタレート等の合成繊維に親水化処理を施した短繊維（繊維長５ｍｍ以下のもの）を採用することができる。第１の吸収部３１を構成する際には、これらの繊維を単独で用いることもでき、複数種類の繊維を組み合わせて用いることもできる。
【００３５】
第１の吸収部３１を構成する吸収性繊維の単位体積あたりの重量は、３００ｇ／ｍ３〜６００ｇ／ｍ３とすることができ、好ましくは３５０ｇ／ｍ３〜５５０ｇ／ｍ３であり、さらに好ましくは、３８０ｇ／ｍ３〜５００ｇ／ｍ３である。
【００３６】
第１の吸収部３１を構成する吸収性繊維の繊維粗度は、０．１ｍｇ／ｍ〜０．５ｍｇ／ｍとすることができ、好ましくは０．１ｍｇ／ｍ〜０．４ｍｇ／ｍであり、さらに好ましくは、０．１ｍｇ／ｍ〜０．３ｍｇ／ｍである。
【００３７】
第１の吸収部３１は、Ｙ軸方向について、吸収体３の中心ＣＬ２に近いほど厚く構成される。より具体的には、Ｘ軸に垂直な断面（図２参照）において、第１の吸収部３１のＺ軸方向−側の外輪郭は、Ｚ軸方向−側に突出する弧を描いている。一方、第１の吸収部３１のＺ軸方向＋側の外輪郭は、Ｙ軸方向に略平行な平坦な形状を有している。すなわち、第１の吸収部３１は、着用時に着用者の側となる吸収体３の面（Ｚ軸方向＋側の面。本明細書において「着用者側の面」とも表記する）が略平坦となるように構成されている。
なお、第１の吸収部３１の着用者側の面に種々の形状加工、例えば、エンボス加工によって凹凸部を施された態様であっても、本発明の要旨を逸脱しない範囲であれば、「略平坦」であるとみなすものとする。他の実施形態および変形例における第１の吸収部についても同様である。すなわち、本明細書において、吸収部のある面が「略平坦である」とは、吸収部の短手方向（Ｙ軸方向）の寸法の最大値に対する、厚さ方向（Ｚ軸方向）の寸法の変化の割合が、１／１０以下であることをいう。「厚さ方向の寸法の変化」は、厚さ方向（Ｚ軸方向）の寸法の最大値から最小値を引いた値である。
【００３８】
第１の吸収部３１を、吸収体３のＹ軸方向の中心ＣＬ２を含む第１の範囲ＡＣに配されている第１の部分３１１と、第１の範囲ＡＣを挟んでＹ軸方向の両側に位置する第２の範囲ＡＳに配されている第２の部分３１２，３１２と、に分けたとき、第２の部分３１２，３１２は、第１の部分３１１よりも、Ｚ軸方向について薄く構成されている。
【００３９】
なお、本明細書において、「ＡがＢよりも薄く構成される」とは、ＡがＢの最も薄い部分よりも薄い部分を備え、Ａの最も厚い部分の厚さが、Ｂの最も薄い部分の厚さ以下であることを意味する。ＢとＡの境界においては、ＢとＡの厚さが同一であってもよい。
【００４０】
このような短辺方向について厚みが異なる第１の吸収部３１は、以下のように生成することができる。一般に、吸収性繊維を主たる構成要素とする吸収部は、外周面に多数の微細孔を備え微細孔から空気を吸引しつつ回転する円柱状の吸引ドラムに向かって、吸収性繊維を吹き付けることによって生成される。短辺方向に厚みが異なる第１の吸収部３１（図２参照）は、吸引ドラムにおいて、第１の吸収部３１の短辺方向となる方向について、単位面積当たりの微細孔の数を変化させたり（すなわち、中央部分を高密度にする）、各微細孔の開孔面積を変化させたりする（すなわち、中央部分において微細孔を大きくする）ことによって、生成することができる。すなわち、第１の吸収部３１の短辺方向となる方向について、吸引ドラムの両端支部分よりも中央部分の表面において、単位面積当たりの微細孔による開口面積が大きくなるように設定することにより、短辺方向に厚みが異なる第１の吸収部３１wo、生成することができる。
【００４１】
また、吸引ドラムの外周面の形状を、第１の吸収部３１の短辺方向となる方向について、範囲ＡＳにおいては、深さ（吸引ドラムの厚さ方向）を範囲ＡＣにおける深さと比較して、深さを小さくすることで、さらに適切に第１の吸収部３１の形状を制御することができる。
また、深さ、単位面積当たりの微細孔の数または開孔面積が、範囲ＡＣから範囲ＡＳに向かって連続的に小さくなるように形成することで生成できる。
なお、このような特有の形状を有し微細孔の数や開孔面積を変化させた構成を、吸引ドラムの外周面において実現する際には、そのような構成を備え、かつ吸引ドラムに対して取りつけおよび取り外しが可能なユニットによって、実現することが好ましい。そのような構成とすることにより、ユニットを交換することで、一つの吸引ドラムで様々な断面形状の吸収部を生成することができる。
【００４２】
図２に示すように、第２の吸収部３２は、第１の吸収部３１に対してカバーシート２側、すなわち、Ｚ軸方向−側に配される。言い換えれば、第２の吸収部３２は、テープ型紙おむつ１０が着用者に着用される際に、第１の吸収部３１を挟んで着用者とは逆の側となる側に配される。第２の吸収部３２は、吸収性繊維と、液体を吸収し保持することができる樹脂（本明細書において「吸収性樹脂」とも表記する）と、で構成される。
【００４３】
第２の吸収部３２が含む吸収性繊維の素材としては、第１の吸収部３１と同様の構成を採用することができる。ただし、第２の吸収部３２が含む吸収性繊維は、第１の吸収部３１が含む吸収性繊維よりも単位体積あたりの重量が大きい。このため、第２の吸収部３２は、第１の吸収部３１よりも剛性が高く、弾性変形しにくい。
【００４４】
第２の吸収部３２を構成する吸収性繊維の単位体積あたりの重量は、６００ｇ／ｍ３〜１０００ｇ／ｍ３とすることができ、好ましくは６５０ｇ／ｍ３〜８００ｇ／ｍ３であり、さらに好ましくは、７００ｇ／ｍ３〜７５０ｇ／ｍ３である。
【００４５】
第２の吸収部３２においては、粒状の吸収性樹脂が、吸収性繊維の隙間に埋没されて保持されている。吸収性樹脂としては、水を吸収することのできる架橋構造を持つ親水性ポリマー、いわゆる「高吸収性ポリマー」（ＳＡＰ：Ｓｕｐｅｒ  Ａｂｓｏｒｂｅｎｔ  Ｐｏｌｙｍｅｒ）を採用することができる。第２の吸収部３２は、吸収性樹脂を保持しているという点からも、吸収性樹脂を保持していない第１の吸収部３１よりも剛性が高く、弾性変形しにくい。
【００４６】
第２の吸収部３２が保持する吸収性樹脂としては、デンプン系、セルロース系、または合成ポリマー系の樹脂を採用することができる。より具体的には、吸収性樹脂として、デンプン−アクリル酸（塩）グラフト共重合体、デンプン−アクリル酸エチルグラフト共重合体のケン化物、デンプン−メタクリル酸メチルグラフト共重合体のケン化物、デンプン−アクリロニトリルグラフト共重合体のケン化物、デンプン−アクリルアミドグラフト共重合体のケン化物、ポリアクリル酸（塩）、アクリル酸で架橋されたポリエチレンオキシド、ナトリウムカルボキシメチルセルロースの架橋物、ポリビニルアルコール−無水マレイン酸反応物の架橋物等を採用することができる。本実施形態においては、自重の２０倍以上の水分を吸収し得る高い吸収性能を有する、ポリアクリル酸ナトリウムを採用する。
【００４７】
なお、第２の吸収部３２における吸収性樹脂の量は、乾燥した吸収性繊維１００質量部に対して１０〜５００質量部とすることが好ましく、１５〜２００質量部とすることがより好ましい。このような構成とすることにより、着用者の尿や体液が第２の吸収部３２に到達した際に、第２の吸収部３２内のＳＡＰが透過障壁を形成する可能性を抑制できる。その結果、尿や体液を第２の吸収部３２内全体に拡散させることができ、第２の吸収部３２全体で尿や体液を吸収することが可能となる。よって、第２の吸収部３２全体を活用して、多くの尿や体液を吸収し、保持することができる。
【００４８】
図２に示すように、第２の吸収部３２は、Ｙ軸方向について、第１の吸収部３１と略同一の幅を有している。そして、第２の吸収部３２は、Ｙ軸方向について、吸収体３の中心ＣＬ２に近いほど薄く構成される。すなわち、第２の吸収部３２を、第１の範囲ＡＣに配されている部分と、第２の範囲ＡＳに配されている部分と、に分けたとき、前者は、後者よりもＺ軸方向について薄く構成されている。
【００４９】
より具体的には、Ｘ軸に垂直な断面（図２参照）において、第２の吸収部３２のＺ軸方向＋側の外輪郭は、Ｚ軸方向−側に突出する弧を描いている。すなわち、第２の吸収部３２のＺ軸方向＋側の外輪郭は、第１の吸収部３１のＺ軸方向−側の外輪郭と略一致するように構成されている。一方、第２の吸収部３２のＺ軸方向−側の外輪郭は、Ｙ軸方向に略平行な平坦な形状を有している。このため、第２の吸収部３２は、第１の吸収部３１とともにＹ軸方向について略一定の厚みを構成する。その結果、積層された第１の吸収部３１と第２の吸収部３２をコアラップシート３３で覆って構成される吸収体３は、略直方体の形状を有する（図１および図２参照）。
【００５０】
第２の吸収部３２も、第１の吸収部３１の製造装置と同様の構成を使用して、生成することができる。すなわち、第２の吸収部３２も、特有の形状を有し単位面積当たりの微細孔の数や、開孔面積を変化させた吸引ドラムに、吸収性繊維を吹き付けることによって、生成することができる。ただし、第２の吸収部３２を生成する際には、吸収性繊維とともに、粒状の吸収性樹脂も、吸引ドラムに吹き付けられる。
【００５１】
また、吸収性繊維を吸引ドラムに吹き付ける際の単位時間および単位面積当たりの空気の吹きつけ量、ならびに吸引ドラムの外周面における単位時間および単位面積当たりの空気の吸引量は、第１の吸収部３１を生成する際よりも多い。このような態様で第２の吸収部３２を生成することにより、吸収性繊維の単位体積あたりの重量が第１の吸収部３１よりも大きい第２の吸収部３２を生成することができる。
【００５２】
以上で説明した第１の吸収部３１および第２の吸収部３２の構成を採用することにより、以下のような効果が得られる。すなわち、テープ型紙おむつ１０が着用者に着用された際に、吸収体３は、Ｙ軸方向中央の第１の範囲ＡＣにおいてはより大きく変形し、薄くなることができ、両側の第２の範囲ＡＳにおいてはより小さく変形する（図２参照）。そして、第１の範囲ＡＣにおいても、弾性変形しやすい第１の吸収部３１が存在することから、第１の範囲ＡＣに部材が存在せず空隙（凹部）が設けられている態様に比べて、着用者が覚える違和感が少ない。すなわち、吸収体３を備えるテープ型紙おむつ１０においては、着用者に与える違和感を抑制しつつ、着用者の身体の形状に沿った変形をすることができる。
【００５３】
本実施形態においては、第１の吸収部３１のＺ軸方向−側の外輪郭は、Ｚ軸方向−側に突出する弧を描いており、第２の吸収部３２のＺ軸方向＋側の外輪郭は、第１の吸収部３１のＺ軸方向−側の外輪郭と略一致するように構成されている。すなわち、より変形しやすい第１の吸収部３１の厚みと、より変形しにくい第２の吸収部３２の厚みと、の割合の変化が連続的である。このため、各吸収部の厚みが、断続的に変化する態様に比べて、着用者に着用された際の違和感をより抑制することができる。
【００５４】
本実施形態においては、吸収体３は、テープ型紙おむつ１０が着用者に着用される際に、着用者の股から下腹にかけて吸収体３が位置するように、配されている（図１の１０Ｍ、１０Ｆ、および３参照）。このため、吸収体３は、着用者の股または腹において突出している中央部分を、第１の吸収部３１が変形することにより、受け入れることができる（図２参照）。その結果、吸収体３を備えるテープ型紙おむつ１０は、違和感なく装着されることができる。
【００５５】
本実施形態においては、第１の吸収部３１は、Ｙ軸方向について、第２の吸収部３２と略同一の幅を有している（図２参照）。すなわち、第１の吸収部３１は、着用時に着用者側となる側において、第２の吸収部３２を覆っている。このため、第１の吸収部３１と第２の吸収部３２の境界が着用者側の面上に存在しない。すなわち、素材の弾性係数が断続的に変化する境界が着用者側の面上に存在しない。よって、第１の吸収部３１と第２の吸収部３２の境界が着用者側の面上に存在する態様に比べて、着用者に着用された際の違和感をより抑制することができる。
【００５６】
本実施形態においては、第１の吸収部３１は、テープ型紙おむつ１０が着用者に着用された際に、着用者側に位置する。このため、第１の吸収部３１は、着用者から排出される液体を第２の吸収部３２よりも先に吸収する。第１の吸収部３１は、吸収性樹脂を含まないため、吸収した液体を吸収部（ここでは第１の吸収部３１）全体に拡散させる機能が第２の吸収部３２よりも高い。一方、第１の吸収部３１の後方（カバーシート２側）に配される第２の吸収部３２は、吸収性樹脂を含むため、吸収した液体を保持する機能が第１の吸収部３１よりも高い。よって、本実施形態の吸収体３を備えるテープ型紙おむつ１０によれば、第１の吸収部３１によって、着用者から排出される液体を広い範囲に拡散して、広い接触領域を介して第２の吸収部３２に渡すことができる。このため、第２の吸収部３２により多くの液体を吸収および保持させることができる。
【００５７】
図２に示すように、コアラップシート３３は、第１の吸収部３１および第２の吸収部３２を覆っている。図２には表れていないが、吸収体３のＸ軸方向の両端部においては、コアラップシート３３は閉じている。このため、吸収体３のＸ軸方向の両端部においては、吸収体３は、図２に示す断面構成とは異なる断面構成を有する。コアラップシート３３により、第１の吸収部３１および第２の吸収部３２の相対位置が固定され、吸収体３の形状が維持される。
【００５８】
コアラップシート３３は、液体の吸収の前後によらず吸収体３が保持する吸収性繊維および吸収性樹脂を透過させず、着用者の尿や体液を透過させることができる。このため、コアラップシート３３により、吸収性繊維および吸収性樹脂が吸収体３から漏出する事態を防止して、着用者の尿や体液を吸収するという機能を、吸収体３に安定して発揮させることができる。
【００５９】
コアラップシート３３の素材としては、たとえば、ティッシュペーパ等の紙を採用することができる。ティッシュペーパとしては、単位面積当たりの重量が１０〜１００ｇ／ｍ2のものを採用することができる。また、コアラップシート３３は、不織布とすることもできる。不織布としては、スパンボンド不織布、ニードルパンチ不織布、スパンレース不織布、エアースルー不織布を用いることができる。
【００６０】
上述した第２の吸収部３２の上に第１の吸収部３１を積層し、コアラップシート３３で覆うことにより、吸収体３を生成することができる（図２参照）。その後、吸収体３の一方の面に、表面シート１を積層し、他方の面に防水シート４およびカバーシート２を取りつけることで、テープ型紙おむつ１０を生成することができる（図１参照）。なお、固定テープ５２と、フロントパッチ５４と、ウェスト伸縮材５６とは、あらかじめ、カバーシート２に取りつけられる。
【００６１】
以上のような構成を有する第１実施形態の吸収体３は、着用者に与える違和感を抑制しつつ、着用者の身体の形状に沿った変形をすることができる。
【００６２】
なお、本実施形態における吸収体３が、「課題を解決するための手段」における「吸収性物品」に相当する。Ｘ軸方向が「長手方向」に相当する。Ｙ軸方向が「短手方向」に相当する。Ｙ軸方向についての吸収体３の中心ＣＬ２が、「吸収性物品の短手方向の中心」に相当する。吸収体３のＺ軸＋側の面が「着用時に前記着用者の側となる前記吸収性物品の面」に相当する。
【００６３】
Ｂ．第２実施形態：
第２実施形態においては、吸収体３ｂの第２の吸収部３２ｂは、第１の吸収部３１ｂを挟んで吸収体３の短手方向（Ｙ軸方向）の両側に配される部分３２２ｂ，３２２ｂを備える。そして、第１の吸収部３１ｂは、ラップシート３４ｂに覆われている。第２実施形態の吸収体を備えるテープ型紙おむつの他の点は、第１実施形態のテープ型紙おむつ１０と同じである。なお、第２〜５実施形態の吸収体３ｂ〜３ｅを説明する際には、他の実施形態の構成や範囲と対応する構成や範囲については、共通する数字の符号に、それぞれ区別のために小文字のアルファベット「ｂ」〜「ｅ」を付したものを使用する。
【００６４】
図３は、図１のＡ−Ａ断面における第２実施形態の吸収体３ｂの構造を示す断面図である。第２実施形態の吸収体３ｂは、Ｘ軸方向の両端部を除くＸ軸方向の任意の断面において図３に示す断面構造と同様の断面構造を有する。第３〜５実施形態の吸収体３ｃ〜３ｅも同様である。
【００６５】
図３も、テープ型紙おむつの各構成の寸法を正確に反映するものではない。図３においても、技術の理解を容易にするため、吸収体３ｂの各構成を互いに離間して示している。しかし、実際には、図３に示す各構成は、少なくともＺ軸方向について、互いに接触して積層されている。また、図３においては、技術の理解を容易にするため、テープ型紙おむつ１０のうち吸収体３ｂ以外の構成は省略している。なお、第３〜第５実施形態の吸収体３ｃ〜３ｅをそれぞれ示す図４〜図６も、同様に記載される。
【００６６】
吸収体３ｂは、第１の吸収部３１ｂと、第１の吸収部３１ｂを覆うラップシート３４ｂと、第２の吸収部３２ｂと、第２の吸収部３２ｂおよびラップシート３４ｂに覆われた第１の吸収部３１ｂを覆うコアラップシート３３ｂと、を備える。
【００６７】
第１の吸収部３１ｂは、吸収体３ｂのＹ軸方向の中心ＣＬ２を含む第１の範囲ＡＣｂ内に設けられている。第１の吸収部３１ｂは、Ｙ軸方向中央に位置する第１の部分３１１ｂおよびその両側に位置する第２の部分３１２ｂ，３１２ｂを備え、第１実施形態の第１の吸収部３１と同様の形状を有する。ただし、第１の吸収部３１ｂは、第１の吸収部３１に比べて、Ｙ軸方向およびＺ軸方向の寸法が小さい。第１の吸収部３１ｂの他の点は、第１実施形態の第１の吸収部３１と同じである。
【００６８】
ラップシート３４ｂは、第１の吸収部３１ｂを覆っている。図３には表れていないが、吸収体３ｂのＸ軸方向の両端部においては、ラップシート３４ｂは閉じている。ラップシート３４ｂは、液体の吸収の前後によらず、第２の吸収部３２ｂが保持する吸収性繊維および吸収性樹脂を透過させない。一方、ラップシート３４ｂは、着用者の尿や体液を透過させる。ラップシート３４ｂの素材としては、第１実施形態のコアラップシート３３と同じものを採用することができる。
【００６９】
このような構成を採用することにより、第２の吸収部３２ｂに含まれる吸収性繊維および吸収性樹脂が、時間の経過とともに第１の吸収部３１ｂに移動する事態を防止することができる。その結果、液体を吸収し保持する第２の吸収部３２ｂの機能が低下する事態を、防止することができる。また、液体を拡散し、第２の吸収部３２ｂとの間の境界面を広く活用して、第２の吸収部３２ｂに液体を渡す、という第１の吸収部３１ｂの機能が低下する事態を、防止することができる。
【００７０】
また、上記の構成によれば、第１の吸収部３１ｂと第２の吸収部３２ｂとの境界において、ラップシート３４ｂによって、若干、水分の移動が阻害される。その結果、水分は、ラップシート３４ｂの第１の吸収部３１ｂ側に沿って移動する。このため、上記の構成によれば、吸収体３ｂの長手方向（Ｘ軸方向）について広い接触領域を介して、第２の吸収部３２ｂに渡すことができる。このため、第２の吸収部３２ｂにより多くの液体を吸収および保持させることができる。
【００７１】
図３に示すように、第２の吸収部３２ｂは、第１の部分３２１ｂと、第２の部分３２２ｂ，３２２ｂと、を有する。第１の部分３２１ｂは、第１の範囲ＡＣｂに設けられている。第１の部分３２１ｂは、ラップシート３４ｂで覆われた第１の吸収部３１ｂに対してカバーシート２側、すなわち、Ｚ軸方向−側に配される部分である。言い換えれば、第２の吸収部３２ｂの第１の部分３２１ｂは、テープ型紙おむつ１０が着用者に着用される際に、ラップシート３４ｂで覆われた第１の吸収部３１ｂを挟んで着用者とは逆の側となる側に配される。
【００７２】
第２の吸収部３２ｂの第１の部分３２１ｂは、Ｙ軸方向について、吸収体３の中心ＣＬ２に近いほど薄く構成される。より具体的には、第２の吸収部３２ｂの第１の部分３２１ｂのＺ軸方向＋側の外輪郭は、第１の吸収部３１ｂのＺ軸方向−側の外輪郭と略一致するように構成されている。一方、第２の吸収部３２ｂの第１の部分３２１ｂのＺ軸方向−側の外輪郭は、Ｙ軸方向に略平行な平坦な形状を有している。
【００７３】
一方、第２の吸収部３２ｂの第２の部分３２２ｂ，３２２ｂは、第１の範囲ＡＣｂを挟んでＹ軸方向の両側に位置する第２の範囲ＡＳｂに設けられている（図３参照）。第２の吸収部３２ｂの第２の部分３２２ｂ，３２２ｂは、テープ型紙おむつ１０が着用者に着用される際に着用者側となる側において、第１の吸収部３１ｂに対して、Ｙ軸方向の両側に配される部分を含む。第２の吸収部３２ｂの第２の部分３２２ｂ，３２２ｂは、第１の吸収部３１ｂとともに、着用時に着用者の側となる吸収体３ｂの面（Ｚ軸方向＋側の面）が略平坦となるように構成されている。
なお、第２の吸収部３２ｂの第２の部分３３２ｂ，３３２ｂの着用者側の面に種々の形状加工、例えば、エンボス加工によって凹凸部を施された態様であっても、本発明の要旨を逸脱しない範囲であれば、「略平坦」であるとみなすものとする。他の実施形態および変形例における第２の吸収部についても同様である。
【００７４】
第２の吸収部３２ｂは、第１の吸収部３１ｂを、Ｙ軸方向の＋側および−側、ならびにＺ軸方向−側から囲むように配されている。第２の吸収部３２ｂは、第１の吸収部３１ｂとともにＹ軸方向について略一定の厚みを構成する。その結果、第２実施形態の吸収体３ｂも、略直方体の形状を有する。第２の吸収部３２ｂの他の点は、第１実施形態の第２の吸収部３２と同じである。
【００７５】
このような構成においては、第１の吸収部３１ｂを囲むように配さる第２の吸収部３２ｂによって、テープ型紙おむつ１０が着用者に着用される際に、吸収体３ｂが形状を維持される。このため、吸収体３ｂの各構成の位置、および吸収体３ｂの上に形成される立体ギャザー（図１の６２，６４参照）の位置が、想定位置からずれにくい。その結果、吸収体３ｂは、着用者から排出された尿や体液を、適切に吸収することができる。
【００７６】
本実施形態において、Ｙ軸方向について、第１の吸収部３１ｂが設けられていない第２の範囲ＡＳｂの幅Ｌ２ｂは、第１の吸収部３１ｂが設けられている第１の範囲ＡＣｂの幅Ｌ１ｂよりも小さい（図３参照）。このような構成とすることにより、第２の吸収部３２ｂによって、吸収体３ｂ全体の形状を維持しつつ、第１の吸収部３１ｂによって、着用者の身体の凸部を十分に受け入れることができる。
【００７７】
図３に示すように、コアラップシート３３ｂは、第１の吸収部３１ｂ、第２の吸収部３２ｂおよびラップシート３４ｂを覆う。コアラップシート３３ｂの他の点は、第１実施形態のコアラップシート３３と同じである。
【００７８】
以上のような構成を有する第２実施形態の吸収体３ｂも、着用者に着用された際に、短手方向について、中央部分で第１の吸収部３１ｂの第１の部分３１１ｂが大きく変形し、その両側で第１の吸収部３１ｂの第２の部分３１２ｂ，３１２ｂがより小さく変形し、さらにその両側で第２の吸収部３２ｂがさらに小さく変形する。このため、着用者に与える違和感を抑制しつつ、着用者の身体の形状に沿った変形をすることができる。
【００７９】
なお、本実施形態におけるラップシート３４ｂが、「課題を解決するための手段」における「シート」に相当する。
【００８０】
Ｃ．第３実施形態：
第３実施形態においては、吸収体３ｃの第２の吸収部３２ｃは、第１の吸収部３１ｃを挟んで吸収体３の短手方向（Ｙ軸方向）の両側に配される部分３２２ｃ，３２２ｃを備える。そして、第１の吸収部３１ｃは、Ｘ軸に垂直な断面において、矩形の断面形状を有する。さらに、第１の吸収部３１ｃは、吸収性樹脂を含む。第３実施形態の吸収体を備えるテープ型紙おむつの他の点は、第１実施形態のテープ型紙おむつ１０と同じである。
【００８１】
図４は、図１のＡ−Ａ断面における第３実施形態の吸収体３ｃの構造を示す断面図である。吸収体３ｃは、第１の吸収部３１ｃと、第２の吸収部３２ｃと、第１の吸収部３１ｃおよび第２の吸収部３２ｃを覆うコアラップシート３３ｃと、を備える。
【００８２】
第１の吸収部３１ｃは、吸収体３ｃのＹ軸方向の中心ＣＬ２を含む第１の範囲ＡＣｃに設けられている。第１の吸収部３１ｃは、Ｘ軸に垂直な断面において、Ｙ軸方向に略平行な２辺と、Ｚ軸方向に略平行な２辺と、で構成される矩形の断面形状を有する。第１の吸収部３１ｃは、吸収性繊維と吸収性樹脂とで構成される。第１の吸収部３１ｃが含む吸収性繊維の素材としては、第１実施形態の第１の吸収部３１と同様の構成を採用することができる。
【００８３】
第１の吸収部３１ｃが含む吸収性樹脂の素材としては、第１実施形態の第２の吸収部３２と同様の構成を採用することができる。ただし、第３実施形態の第１の吸収部３１ｃが含む吸収性樹脂の単位体積あたり量（重量）は、第３実施形態の第２の吸収部３２ｃが含む吸収性樹脂が含む吸収性樹脂の単位体積あたり量よりも少ない。このため、第１の吸収部３１ｃは、第２の吸収部３２ｃよりも単位体積あたりで吸収できる液体の量が少ない。一方、第１の吸収部３１ｃは、含んでいる吸収性樹脂の単位体積あたり量が第２の吸収部３２ｃよりも少ないことから、第２の吸収部３２ｃよりも剛性が低く、弾性変形しやすい。
【００８４】
このような構成とすることにより、第１の吸収部３１ｃにおいても、着用者の尿や体液を保持することができる。その結果、吸収体３ｃにおいては、第１の吸収部が吸収性樹脂を含まない態様に比べて、より多くの尿や体液を保持することができる。
【００８５】
また、第１の吸収部において、第２の吸収部と同等以上の吸収性樹脂を含む態様においては、以下のような問題が生じる可能性がある。すなわち、第２の吸収部３２ｃよりも先に着用者の尿や体液に接する第１の吸収部３１ｃの着用者側の部位において、大量の水分にさらされた吸収性樹脂同士が凝集し、透過障壁を形成する可能性がある。そのような場合には、水分は、透過障壁に遮られて、第１の吸収部３１ｃの他の部位に移動することができない。しかし、本実施形態においては、第１の吸収部３１ｃが含む吸収性樹脂の量は、第２の吸収部３２ｃよりも少ない。このため、第１の吸収部３１ｃ内において透過障壁が形成される可能性が低く、第１の吸収部３１ｃは、着用者の尿や体液を受け取って、第１の吸収部３１ｃ全体に拡散させる機能を十分に発揮することができる。
【００８６】
また、第１の吸収部３１ｃは、第２の吸収部３２ｃよりも剛性が低く、弾性変形しやすく設けられている。このため、第１の吸収部３１ｃによって、着用者の身体の凸部を十分に受け入れることができる。
【００８７】
よって、第３実施形態の吸収体３ｃにおいては、第１の吸収部３１ｃと第２の吸収部３２ｃの両方において液体の吸収性を担保しつつ、少ない違和感で、着用者の身体の形状に沿った変形をすることができる。
【００８８】
図４に示すように、Ｘ軸に垂直な断面において、第２の吸収部３２ｃは、Ｚ軸方向−側にむかってへこんだ矩形状の凹部を備える。第２の吸収部３２ｃは、第１の部分３２１ｃと、第２の部分３２２ｃ，３２２ｃと、を有する。第１の部分３２１ｃは、第１の範囲ＡＣｃに設けられている。第１の部分３２１ｃは、第１の吸収部３１ｃに対してカバーシート２側、すなわち、Ｚ軸方向−側に配される部分である。
【００８９】
一方、第２の吸収部３２ｃの第２の部分３２２ｃ，３２２ｃは、第１の範囲ＡＣｃを挟んでＹ軸方向の両側に位置する第２の範囲ＡＳｃに設けられている。第２の部分３２２ｃ，３２２ｃは、第１の吸収部３１ｃに対して、Ｙ軸方向の両側に配される部分である。言い換えれば、第２の吸収部３２ｃの第２の部分３２２ｃ，３２２ｃは、テープ型紙おむつ１０が着用者に着用される際に着用者側となる側において、第１の吸収部３１ｃに対して吸収体３ｃの短辺方向の両側に配される部分を含む。第２の吸収部３２ｃの第２の部分３２２ｃ，３２２ｃは、第１の吸収部３１ｃとともに、着用時に着用者の側となる吸収体３ｃの面（Ｚ軸方向＋側の面）が略平坦となるように構成されている。
【００９０】
このような構成においても、第１の吸収部３１ｃを囲むように配される第２の吸収部３２ｃによって、テープ型紙おむつ１０が着用者に着用される際に、吸収体３ｃが形状を維持される。その結果、吸収体３ｃは、着用者から排出された尿や体液を、適切に吸収することができる。
【００９１】
また、第３実施形態において、Ｙ軸方向について、第１の吸収部３１ｃが設けられていない第２の範囲ＡＳｃの幅Ｌ２ｃは、第１の吸収部３１ｃが設けられている第１の範囲ＡＣｃの幅Ｌ１ｃよりも小さい（図４参照）。このため、第２の吸収部３２ｃによって、吸収体３ｃ全体の形状を維持しつつ、第１の吸収部３１ｃによって、着用者の身体の凸部を十分に受け入れることができる。
【００９２】
なお、第３実施形態の第２の吸収部３２ｃは、以下のように生成することができる。すなわち、第１の部分３２１ｃと、第２の部分３２２ｃ，３２２ｃのうち第１の部分３２１ｃと同じ厚さを有する部分と、をまず同時に形成する。その後、別途形成した、第２の部分３２２ｃ，３２２ｃのうちの残りの部分を、第２の部分３２２ｃ，３２２ｃのうちすでに形成した部分の上に積層する。このように生成することにより、略矩形の凹部を備えた第２の吸収部３２ｃ（図４参照）を生成することができる。
【００９３】
図４に示すように、コアラップシート３３ｃは、第１の吸収部３１ｃおよび第２の吸収部３２ｃを覆う。コアラップシート３３ｃの構成は、第１実施形態のコアラップシート３３と同じである。
【００９４】
以上のような構成を有する第３実施形態の吸収体３ｃも、着用者に着用された際に、短手方向について、中央部分で第１の吸収部３１ｃが大きく変形し、その両側で第２の吸収部３２ｃがより小さく変形する。このため、着用者に与える違和感を抑制しつつ、着用者の身体の形状に沿った変形をすることができる。
【００９５】
Ｄ．第４実施形態：
第４実施形態においては、Ｘ軸に垂直な断面における第１の吸収部３１ｄの断面形状が図４に示す第３実施形態の第１の吸収部３１ｃとは異なっている。また、Ｘ軸に垂直な断面における第２の吸収部３２ｄの形状が、第３実施形態の第２の吸収部３２ｃとは異なっている。第４実施形態の吸収体を備えるテープ型紙おむつの他の点は、第３実施形態のテープ型紙おむつと同じである。
【００９６】
図５は、図１のＡ−Ａ断面における第４実施形態の吸収体３ｄの構造を示す断面図である。吸収体３ｄは、第１の吸収部３１ｄと、第２の吸収部３２ｄと、第１の吸収部３１ｄおよび第２の吸収部３２ｄを覆うコアラップシート３３ｄと、を備える。
【００９７】
第１の吸収部３１ｄは、吸収体３ｄの中心ＣＬ２を含む範囲ＡＣｄに設けられている。第１の吸収部３１ｄは、吸収体３ｄの中心ＣＬ２を含む範囲ＡＣｄ１に配されている第１の部分３１１ｄと、範囲ＡＣｄ１を挟んでＹ軸方向の両側に位置する範囲ＡＣｄ２に配されている第２の部分３１２ｄ，３１２ｄと、を備える。第１の部分３１１ｄと、第２の部分３１２ｄ，３１２ｄとは、いずれも、Ｙ軸方向に略平行な２辺と、Ｚ軸方向に略平行な２辺と、で構成される矩形の断面形状を有する。第２の部分３１２ｄ，３１２ｄのＺ軸方向の厚みは、第１の部分３１１ｄのＺ軸方向の厚みよりも、薄い。第２の部分３１２ｄ，３１２ｄのＹ軸方向の幅は、第１の部分３１１ｄのＹ軸方向の幅よりも、小さい。第１の吸収部３１ｄの他の点は、第３実施形態の第１の吸収部３１ｃと同じである。
【００９８】
第２の吸収部３２ｄは、第１の部分３２１ｄと、第２の部分３２２ｄ，３２２ｄと、を有する。第１の部分３２１ｄは、第１の範囲ＡＣｄに設けられている。第１の部分３２１ｄは、第１の吸収部３１ｄに対してカバーシート２側、すなわち、Ｚ軸方向−側に配される部分である。第２の吸収部３２ｄの第１の部分３２１ｄのＺ軸方向＋側の外輪郭は、第１の吸収部３１ｄのＺ軸方向−側の外輪郭と略一致するように構成されている。第２の吸収部３２ｄの第１の部分３２１ｄのＺ軸方向−側の外輪郭は、Ｙ軸方向に略平行な平坦な形状を有している。
【００９９】
一方、第２の吸収部３２ｄの第２の部分３２２ｄ，３２２ｄは、第１の範囲ＡＣｄを挟んでＹ軸方向の両側に位置する第２の範囲ＡＳｄに設けられている。第２の吸収部３２ｄの第２の部分３２２ｄ，３２２ｄは、第１の吸収部３１ｄに対して、Ｙ軸方向の両側に配される部分を含む。第１の範囲ＡＣｄを挟んでＹ軸方向の両側に位置する第２の範囲ＡＳｄにおいては、第１の吸収部３１ｄは設けられていない。なお、第２の範囲ＡＳｄの幅Ｌ２ｄは、第１の範囲ＡＣｄの幅Ｌ１ｄよりも小さい。第１の吸収部３１ｄと第２の吸収部３２ｄは、着用時に着用者の側となる吸収体３ｄの面（Ｚ軸方向＋側の面）が略平坦となるように構成されている。
【０１００】
第４実施形態の第１の吸収部３１ｄも、第３実施形態の第２の吸収部３２ｃと同様に、別々に形成された複数の部分を積層することによって形成することができる。また、第４実施形態の第２の吸収部３２ｄも、別々に形成された複数の部分を積層することによって形成することができる。
【０１０１】
以上のような構成を有する第４実施形態の吸収体３ｄも、着用者に着用された際に、短手方向について、中央部分で第１の吸収部３１ｄの第１の部分３１１ｄが大きく変形し、その両側で第１の吸収部３１ｄの第２の部分３１２ｄ，３１２ｄがより小さく変形し、さらにその両側で第２の吸収部３２ｄがさらに小さく変形する。このため、着用者に与える違和感を抑制しつつ、着用者の身体の形状に沿った変形をすることができる。
【０１０２】
Ｅ．第５実施形態：
第５実施形態においては、Ｘ軸に垂直な断面における第１の吸収部３１ｅの断面形状が、図４に示す第３実施形態の第１の吸収部３１ｃとは異なっている。また、Ｘ軸に垂直な断面における第２の吸収部３２ｅの形状が、第３実施形態の第２の吸収部３２ｃとは異なっている。第５実施形態の吸収体を備えるテープ型紙おむつの他の点は、第３実施形態のテープ型紙おむつと同じである。
【０１０３】
図６は、図１のＡ−Ａ断面における第５実施形態の吸収体３ｅの構造を示す断面図である。吸収体３ｅは、第１の吸収部３１ｅと、第２の吸収部３２ｅと、第１の吸収部３１ｅおよび第２の吸収部３２ｅを覆うコアラップシート３３ｅと、を備える。
【０１０４】
第１の吸収部３１ｅは、Ｙ軸方向に略平行な２辺を上底および下底として有する台形の断面形状を有する。第１の吸収部３１ｅは、吸収体３ｅの中心ＣＬ２を含む範囲ＡＣｅに設けられている。第１の吸収部３１ｅは、吸収体３ｅの中心ＣＬ２を含む範囲ＡＣｅ１に配されている第１の部分３１１ｅと、第１の範囲ＡＣｅ１を挟んでＹ軸方向の両側に位置する範囲ＡＣｅ２に配されている第２の部分３１２ｅ，３１２ｅと、を備える。
【０１０５】
第１の部分３１１ｅは、Ｙ軸方向に略平行な２辺と、Ｚ軸方向に略平行な２辺と、で構成される矩形の断面形状を有する。第２の部分３１２ｅ，３１２ｅは、いずれも、Ｙ軸方向に略平行な１辺と、Ｚ軸方向に略平行な１辺と、斜辺と、で構成される直角三角形の断面形状を有する。第２の部分３１２ｅ，３１２ｅのＺ軸方向の厚みは、第１の部分３１１ｅのＺ軸方向の厚み以下である。第１の吸収部３１ｅの他の点は、第３実施形態の第１の吸収部３１ｃと同じである。
【０１０６】
第２の吸収部３２ｅは、第１の部分３２１ｅと、第２の部分３２２ｅ，３２２ｅと、を有する。第１の部分３２１ｅは、第１の範囲ＡＣｅに設けられている。第１の部分３２１ｅは、第１の吸収部３１ｅに対して、Ｚ軸方向−側に配される部分である。第２の吸収部３２ｅの第１の部分３２１ｅのＺ軸方向＋側の外輪郭は、第１の吸収部３１ｅのＺ軸方向−側の外輪郭と略一致するように構成されている。第２の吸収部３２ｅの第１の部分３２１ｅのＺ軸方向−側の外輪郭は、Ｙ軸方向に略平行な平坦な形状を有している。
【０１０７】
一方、第２の吸収部３２ｅの第２の部分３２２ｅ，３２２ｅは、第１の範囲ＡＣｅを挟んでＹ軸方向の両側に位置する第２の範囲ＡＳｅに設けられている。第２の吸収部３２ｅの第２の部分３２２ｅ，３２２ｅは、第１の吸収部３１ｅに対して、Ｙ軸方向の両側に配される部分を含む。第１の範囲ＡＣｅを挟んでＹ軸方向の両側に位置する第２の範囲ＡＳｅにおいては、第１の吸収部３１ｅは設けられていない。なお、第２の範囲ＡＳｅの幅Ｌ２ｅは、第１の範囲ＡＣｅの幅Ｌ１ｅよりも小さい。第１の吸収部３１ｅと第２の吸収部３２ｅは、着用時に着用者の側となる吸収体３ｅの面（Ｚ軸方向＋側の面）が略平坦となるように構成されている。
【０１０８】
以上のような構成を有する第５実施形態の吸収体３ｅも、着用者に着用された際に、短手方向について、中央部分で第１の吸収部３１ｅの第１の部分３１１ｅが大きく変形し、その両側で第１の吸収部３１ｅの第２の部分３１２ｅ，３１２ｅがより小さく変形し、さらにその両側で第２の吸収部３２ｂｅさらに小さく変形する。このため、着用者に与える違和感を抑制しつつ、着用者の身体の形状に沿った変形をすることができる。
【０１０９】
Ｆ．変形例：
この発明は上記の実施例や実施形態に限られるものではなく、その要旨を逸脱しない範囲において種々の態様において実施することが可能であり、例えば次のような変形も可能である。
【０１１０】
Ｆ１．変形例１：
上記実施形態においては、吸収体は、略長方形の平面形状を備え、端部を除くＸ軸方向の任意の断面において同一の構成を備えている（図１参照）。しかし、吸収性物品は、長円形や６角形、８角形など任意の平面形状を備えることができる。ただし、吸収性物品は、ある方向の寸法がその方向と垂直な方向の寸法とは異なる形状、すなわち長手方向と短手方向とを備える形状であり、長手方向が着用者の前後方向と一致する態様で使用される構成とすることが好ましい。
【０１１１】
また、吸収性物品は、長手方向について、吸収性物品全体の断面の外形形状は同じでありつつ、第１の吸収部が設けられている領域が、長手方向の異なる断面において異なる態様とすることもできる。たとえば、長手方向の第２の吸収部が設けられている範囲の一部についてのみ、第１の吸収部が設けられている態様としてもよい。ただし、長手方向の所定範囲における断面において、各実施形態に例示的に示した構成を備えることが好ましい。
上記第１実施形態においては、第１の吸収部は、着用者側において、短手方向について第２の吸収部と同じ幅で設けられている（図２参照）。しかし、第１の吸収部は、着用者側において、吸収性物品の短手方向について、第２の吸収部より小さく設けられることもでき（図３〜図６参照）、第２の吸収部より大きく設けられることもできる。
【０１１２】
Ｆ２．変形例２：
上記各実施形態においては、吸収体は、Ｚ軸方向について略一定の厚みを有する。しかし、吸収性物品の厚みは、吸収性物品の短手方向と長手方向との少なくとも一方において、一定でないものとすることができる。たとえば、着用者の身体の形状に応じて吸収性物品の各部位の厚みを変えることにより、より着用時の違和感を少なくすることができる。
【０１１３】
Ｆ３．変形例３：
上記実施形態においては、吸収性樹脂としてのＳＡＰは、粒子状に形成されて、吸収性繊維の隙間に埋没されて保持されている。しかし、吸収性樹脂は、複数層の吸収性繊維の間に、層状に配されて保持されることもできる。
【０１１４】
Ｆ４．変形例４：
上記実施形態においては、各吸収部は一様な密度の吸収性繊維から構成されるものとして説明した。しかし、吸収性繊維の密度が、吸収部内において異なる態様とすることもできる。たとえば、第１の吸収部と第２の吸収部の少なくとも一方において、吸収体の中心を含む第１の範囲における吸収性繊維の密度を、短手方向について第１の範囲の両側に位置する第２の範囲における吸収性繊維の密度よりも、小さくすることが好ましい。そのような態様とすれば、着用者が感じうる違和感をより少なくすることができる。
【０１１５】
また、第１の吸収部と第２の吸収部の少なくとも一方において、吸収体内の着用者側の部分における吸収性繊維の密度を、着用者から遠い側の部分における吸収性繊維の密度よりも、小さくすることが好ましい。そのような態様としても、着用者が感じうる違和感をより少なくすることができる。
【０１１６】
Ｆ５．変形例５：
上記実施形態においては、第２の吸収部３２は、第１の吸収部３１よりも、単位体積あたりでより多くの吸収性樹脂を含んでいる。しかし、第１の吸収部が含む樹脂の単位体積あたりの量と、第２の吸収部が含む第１の吸収部と同じ樹脂の単位体積あたりの量とが、等しい態様とすることもできる。
【０１１７】
Ｆ６．変形例６：
上記第２実施形態においては、ラップシート３４ｂは、第１の吸収部３１ｂ全体を覆っている（図３参照）。しかし、吸収性繊維および吸収性樹脂を透過させないシートは、第１の吸収部の一部を覆わない態様とすることができる。ただし、吸収性繊維および吸収性樹脂を透過させないシートは、第１の吸収部と、第１の吸収部よりも多くの吸収性繊維および吸収性樹脂を含む第２の吸収部との境界において、配されていることが好ましい。このような態様とすれば、第１の吸収部と第２の吸収部の吸収性繊維および吸収性樹脂の量の差を、安定して維持することができる。
【０１１８】
Ｆ７．変形例７：
上記実施形態においては、製造時において、吸収性繊維を吹きつける空気の流量および吸収性繊維をドラム外周面上に吸引する空気の流量を制御することによって、第１と第２の吸収部の吸収性繊維の単位体積あたりの重量を制御している。しかし、第１と第２の吸収部における吸収性繊維の単位体積あたりの重量は、繊維の太さや長さを変えることによって制御してもよい。
【０１１９】
Ｆ８．変形例８：
上記実施形態においては、吸収体は、テープ型紙おむつが着用者に着用される際に、着用者の股から下腹にかけて吸収体が位置するように、配されている（たとえば、図１の１０Ｍ、１０Ｆ、および３参照）。しかし、本発明の吸収性物品を、生理用品に適用する場合は、腹側に配されない態様で実現することもできる。
【０１２０】
Ｆ９．変形例９：
上記実施形態においては、カバーシート２は、平面視した際に表面シート１と略一致する形状を有している。しかし、カバーシートと表面シートの形状および寸法が異なる態様とすることもできる。たとえば、カバーシートの外輪郭中に表面シート全体が配されるように、紙おむつを形成することが好ましい。このような態様とすることにより、紙おむつ全体のテープ型紙おむつ全体の強度を維持しつつ、表面シートをその機能を損なわない範囲で小さく生成することができる。
【０１２１】
Ｆ１０．変形例１０：
上記実施形態においては、ウェスト伸縮材５６は、２枚のシート部材と、２枚のシート部材の間に保持されている複数の弾性部材と、を含む。しかし、ウェスト伸縮材は、他の態様で構成することもできる。たとえば、ウェスト伸縮材としては、伸縮性を有する面形状のウレタンフォームも採用することもできる。すなわち、ウェスト伸縮材は、Ｙ軸方向について伸縮性を有し、ウェスト伸縮材が設けられている位置の近傍の構成を、Ｙ軸方向に弾性的に伸縮させることができるものであればよい。
【０１２２】
Ｆ１１．変形例１１：
上記実施形態においては、テープ型紙おむつに採用される吸収体を例に本発明を説明している。しかし、本発明の吸収性物品は、パンツ型おむつや、尿取りライナー、軽失禁パッドなど、他の適用例に適用されることもできる。
【０１２３】
上記実施形態および変形例で説明した各構成は、様々な組み合わせで実現することができ、また、その一部を省略して実現することもできる。
【符号の説明】
【０１２４】
１…表面シート
２…カバーシート
３，３ｂ，３ｃ，３ｄ，３ｅ…吸収体
４…防水シート
１０…テープ型紙おむつ
１０Ｂ…テープ型紙おむつの後部
１０Ｆ…テープ型紙おむつの前部
１０Ｍ…テープ型紙おむつの中央部
３１，３１ｂ，３１ｃ，３１ｄ，３１ｅ…第１の吸収部
３２，３２ｂ，３２ｃ，３２ｄ，３２ｅ…第２の吸収部
３３，３３ｂ，３３ｃ，３３ｄ，３３ｅ…コアラップシート
３４ｂ…ラップシート
５２…固定テープ
５４…フロントパッチ
５６…ウェスト伸縮材
６２…ひれ部
６４…立体伸縮部
７２…レグ伸縮部
３１１，３１１ｂ，３１１ｄ，３１１ｅ…第１の吸収部の第１の部分
３１２，３１２ｂ，３１２ｄ，３１２ｅ，…第１の吸収部の第２の部分
３２１ｂ，３２１ｃ，３２１ｄ，３２１ｅ…第２の吸収部の第１の部分
３２２ｂ，３２２ｃ，３２２ｄ，３２２ｅ…第２の吸収部の第２の部分
ＡＣ，ＡＣｂ，ＡＣｃ，ＡＣｄ，ＡＣｅ…吸収体のＹ軸方向の中心を含む第１の範囲
ＡＣｄ１…吸収体のＹ軸方向の中心を含む範囲
ＡＣｄ２…範囲ＡＣｄ１のＹ軸方向両側にある範囲
ＡＣｅ１…吸収体のＹ軸方向の中心を含む範囲
ＡＣｅ２…範囲ＡＣｅ１のＹ軸方向両側にある範囲
ＡＳ，ＡＳｂ，ＡＳｃ，ＡＳｄ，ＡＳｅ，…第１の範囲のＹ軸方向両側にある第２の範囲
ＣＬ１…テープ型紙おむつ１０の中心軸
ＣＬ２…吸収体のＹ軸方向の中心
Ｌ１ｂ，Ｌ１ｃ，Ｌ１ｄ，Ｌ１ｅ…第１の範囲の幅
Ｌ２ｂ，Ｌ２ｃ，Ｌ２ｄ，Ｌ２ｅ…第２の範囲の幅
【図１】
0006610372.tif 000002
【図２】
0006610372.tif 000003
【図３】
0006610372.tif 000004
【図４】
0006610372.tif 000005
【図５】
0006610372.tif 000006
【図６】
0006610372.tif 000007